(57)【要約】【課題】ワイヤーハーネスを、低コストでかつ外傷から十分に保護できるように、配索することができるようにすること。【解決手段】車両１０に配索されるワイヤーハーネス２２を保護しつつ支持するワイヤーハーネス配索支持装置２０である。ワイヤーハーネス配索支持装置２０は、ワイヤーハーネス２２と、ワイヤーハーネス２２の少なくとも一部が挿通された筒状部材３０と、筒状部材３０に固定されると共に車両１０の天井部１３に取付可能に構成され、筒状部材３０を天井部１３に沿ってかつ車室内に露出した状態で支持する固定部材４０とを備える。【選択図】図１
2011111090.tif 000002
【特許請求の範囲】
【請求項１】
車両に配索されるワイヤーハーネスを保護しつつ支持するワイヤーハーネス配索支持装置であって、
ワイヤーハーネスと、
前記ワイヤーハーネスの少なくとも一部が挿通された筒状部材と、
前記筒状部材に固定されると共に前記車両の天井部に取付可能に構成され、前記筒状部材を前記車両の天井部に沿ってかつ車室内に露出した状態で支持する固定部材と、
を備えるワイヤーハーネス配索支持装置。
【請求項２】
請求項１記載のワイヤーハーネス配索支持装置であって、
前記固定部材は、前記天井の内面から離れた位置で前記筒状部材を支持可能に構成されている、ワイヤーハーネス配索支持装置。
【請求項３】
請求項１又は請求項２記載のワイヤーハーネス配索支持装置であって、
前記ワイヤーハーネスが、前記固定部材内を通って前記筒状部材から外部に引出されている、ワイヤーハーネス配索支持装置。
【請求項４】
請求項１〜請求項３のいずれか１項に記載のワイヤーハーネス配索支持装置であって、
前記筒状部材は、前記車両の前後方向に沿って配設される前後方向配線用筒状部分と、前記車両の幅方向に沿って配設される幅方向配線用筒状部分とを有する、ワイヤーハーネス配索支持装置。
【請求項５】
請求項１〜請求項４のいずれか１項に記載のワイヤーハーネス配索支持装置であって、
前記ワイヤーハーネスは少なくとも一つの予備配線を含み、
前記筒状部材の端部に、前記予備配線の端部が配設されている、ワイヤーハーネス配索支持装置。
【発明の詳細な説明】
【技術分野】
【０００１】
この発明は、車両に配索されるワイヤーハーネスを保護しつつ支持する技術に関する。
【背景技術】
【０００２】
従来、車両におけるワイヤーハーネスは、車両床面に沿って配索されていた。また、このワイヤーハーネスは、床面の内装材内に通す構成、或は、別途設けた保護材で覆う構成等によって保護、遮蔽されていた。
【０００３】
また、特許文献１には、インストルメントパネル内に配設される空調ダクト兼用リインフォース部に、収容溝が形成されたワイヤーハーネス保持部を一体的に設けた構成が開示されている。これにより、ワイヤーハーネスは、ワイヤーハーネス保持部の収容溝内を通って配索されるようになっている。
【先行技術文献】
【特許文献】
【０００４】
【特許文献１】特開２００３−７２５９２号公報
【発明の概要】
【発明が解決しようとする課題】
【０００５】
しかしながら、ワイヤーハーネスを床面に沿って配索する場合、座席の折畳み時の移動或は座席の配置位置の変更に対して影響を受けないように、また、積載物等の搬出入の邪魔にならないように、ワイヤーハーネスを適宜取り回すようにして配索する必要がある。このため、ワイヤーハーネスが長尺化し、高コスト化を招くこととなっていた。また、そのようなワイヤーハーネスの取り回し経路に応じて、床面の内装材或は保護材を設計する必要があり、高コスト化を招いていた。
【０００６】
また、特許文献１に開示の技術では、ワイヤーハーネス保持部に形成された収容溝内でワイヤーハーネスが大きく露出しているため、ワイヤーハーネスを外傷から十分に保護することは困難であった。
【０００７】
そこで、本発明は、ワイヤーハーネスを、低コストかつ外傷から十分に保護しつつ、配索することができるようにすることを目的とする。
【課題を解決するための手段】
【０００８】
上記課題を解決するため、第１の態様は、車両に配索されるワイヤーハーネスを保護しつつ支持するワイヤーハーネス配索支持装置であって、ワイヤーハーネスと、前記ワイヤーハーネスの少なくとも一部が挿通された筒状部材と、前記筒状部材に固定されると共に前記車両の天井部に取付可能に構成され、前記筒状部材を前記車両の天井部に沿ってかつ車室内に露出した状態で支持する固定部材とを備える。
【０００９】
第２の態様は、第１の態様に係るワイヤーハーネス配索支持装置であって、前記固定部材は、前記天井の内面から離れた位置で前記筒状部材を支持可能に構成されているものである。
【００１０】
第３の態様は、第１又は第２の態様に係るワイヤーハーネス配索支持装置であって、前記ワイヤーハーネスが、前記固定部材内を通って前記筒状部材から外部に引出されているものである。
【００１１】
第４の態様は、第１〜第３のいずれか１つの態様に係るワイヤーハーネス配索支持装置であって、前記筒状部材は、前記車両の前後方向に沿って配設される前後方向配線用筒状部分と、前記車両の幅方向に沿って配設される幅方向配線用筒状部分とを有するものである。
【００１２】
第５の態様は、第１〜第４のいずれか１つの態様に係るワイヤーハーネス配索支持装置であって、前記ワイヤーハーネスは少なくとも一つの予備配線を含み、前記筒状部材の端部に、前記予備配線の端部が配設されているものである。
【発明の効果】
【００１３】
第１の態様に係るワイヤーハーネス配索支持装置によると、ワイヤーハーネスの少なくとも一部が挿通された筒状部材を天井部に沿って支持するため、筒状部材とそれに挿通されたワイヤーハーネス部分とを単純経路かつ短経路で設置できる。これにより、低コスト化を図ることができる。
【００１４】
また、ワイヤーハーネスは、天井側で筒状部材により挿通されているため、当該ワイヤーハーネスを外傷から十分に保護できる。
【００１５】
第２の態様によると、筒状部材は、車室内に露出し、天井の内面から離れた位置で支持されるため、フックの固定等がし易くなる。このため、他用途での使用、例えば、荷物固定用のフック固定、ネット或はカーテン等の遮蔽部材を吊す、棒状部材の固定等に供することができる。
【００１６】
第３の態様によると、前記ワイヤーハーネスが、前記固定部材内を通って前記筒状部材から外部に引出されているため、ワイヤーハーネスを筒状部材から外部に引出す部分についても十分に保護できる。
【００１７】
第４の態様に係るワイヤーハーネス配索支持装置によると、前後方向配線用筒状部分によって車両前後方向においてワイヤーハーネスを支持することができると共に、幅方向配線用筒状部分によって車両幅方向においてワイヤーハーネスを支持することができる。
【００１８】
第５の態様によると、筒状部材の端部に、前記予備配線の端部が配設されているため、車両に対する電装部品の追加等を容易に行える。
【図面の簡単な説明】
【００１９】
【図１】実施形態に係るワイヤーハーネス配索支持装置が車両に取付けられた状態を示す斜視図である。
【図２】同上のワイヤーハーネス配索支持装置のうち車両への取付部分を示す斜視図である。
【図３】同上のワイヤーハーネス配索支持装置の端部を示す斜視図である。
【図４】同上のワイヤーハーネス配索支持装置の利用例を示す説明図である。
【図５】同上のワイヤーハーネス配索支持装置の利用例を示す説明図である。
【図６】同上のワイヤーハーネス配索支持装置の利用例を示す説明図である。
【図７】同上のワイヤーハーネス配索支持装置の利用例を示す説明図である。
【図８】同上のワイヤーハーネス配索支持装置のレイアウトを示す説明図である。
【図９】変形例に係るワイヤーハーネス配索支持装置のレイアウトを示す説明図である。
【図１０】前後方向配線用筒状部分と幅方向配線用筒状部分とを連結固定する連結部材を示す図である。
【図１１】変形例に係るワイヤーハーネス配索支持装置のレイアウトを示す説明図である。
【図１２】変形例に係るワイヤーハーネス配索支持装置のレイアウトを示す説明図である。
【発明を実施するための形態】
【００２０】
以下、実施形態に係るワイヤーハーネス配索支持装置について説明する。図１はワイヤーハーネス配索支持装置２０が車両１０に取付けられた状態を示す斜視図であり、図２はワイヤーハーネス配索支持装置２０のうち車両１０への取付部分を示す斜視図であり、図３はワイヤーハーネス配索支持装置２０の端部を示す斜視図である。
【００２１】
ここでは、ワイヤーハーネス配索支持装置２０の取付対象である車両１０として、箱形の車両１０（いわゆるワンボックスと呼ばれるもの）を想定して説明する。もっとも、本ワイヤーハーネス配索支持装置２０の取付対象は、箱形の車両１０だけではなく、各種車両、特に、乗員室と荷室とが仕切り無くつながるタイプの車両（いわゆるワゴン或いはバン等と呼ばれるもの等）を含む。
【００２２】
ここでは、車両１０は、箱形の車体本体部分１２を有しており、車体本体部分１２の後方に荷物出し入れ用の開口１４が形成されている。開口１４には、上方のヒンジ部を介して開閉自在にバックドア１６が設けられている。車体本体部分１２のうち開口１４の周縁部とバックドア１６との間には、バックドア１６の開閉動作を補助するバックドアダンパ１８が設けられている。
【００２３】
ワイヤーハーネス配索支持装置２０は、上記車両１０に配索されるワイヤーハーネス２２を保護しつつ車両１０の天井部１３で支持するものであり、ワイヤーハーネス２２と、筒状部材３０と、固定部材４０とを備えている。ここでは、ワイヤーハーネス配索支持装置２０は、車両１０の天井部１３の左右両側部それぞれに、車両前後方向に沿って設けられている。
【００２４】
ワイヤーハーネス２２は、複数の電線が所定の布線形態で結束されたものであり、上記車両１０における各種電装部品間の接続を行う配線の一部を構成している。特に、ここでは、ワイヤーハーネス２２は、車両１０の各種電装部品を前後方向で接続する配線の一部を構成している。ワイヤーハーネス２２は、複数の電線が主幹線で直線状に延びるように結束されたものであってもよいし、複数の電線が主幹線で直線状に延びつつ途中で適宜分岐するように結束されたものであってもよい。通常、各電線の端部には、コネクタ等の接続部品が取付けられており、各電線は当該接続部品を介して電装部品に接続される構成とされているが、必ずしもその必要はない。
【００２５】
筒状部材３０は、樹脂或は金属（アルミニウム、ステンレス等）により上記ワイヤーハーネス２２の少なくとも一部を挿通可能な略筒状に形成されている。筒状部材３０は、略円筒状であっても、略三角或いは略四角等の略多角形筒状であってもよい。また、筒状部材３０は、周囲が完全に閉塞された部材である必要はなく、一部にスリットが形成される等、部分的に開口した構成のものであってもよい。ここでは、筒状部材３０が略円筒状である例で説明する。
【００２６】
また、筒状部材３０は、直線状に形成され、その長さ寸法は、天井部１３の前後方向略全体に亘って配設可能な長さ寸法に設定されている。つまり、ここでは、筒状部材３０の全体が、車両１０の前後方向に沿って配設される前後方向配線用筒状部分である例で説明する。
【００２７】
なお、直線状に延びる筒状部材３０は、単一の部材によって構成されていても、複数の部材連結されることによって構成されていてもよい。ここでは、筒状部材３０が複数の分割筒状部材３１に分割され、各分割筒状部材３１が固定部材４０によって連結されている例で説明する（図２参照）。
【００２８】
図１及び図２に示すように、固定部材４０は、樹脂或は金属（アルミニウム、ステンレス等）等により構成され、上記筒状部材３０に固定されると共に上記天井部１３に取付可能に構成されており、天井部１３に取付固定されることで、筒状部材３０を天井部１３に沿ってかつ車室内に露出した状態で支持する構成とされている。
【００２９】
より具体的には、固定部材４０は、支持筒部４２と、筒状基部４４と、天井固定片４６とを有している。
【００３０】
支持筒部４２は、上記分割筒状部材３１の端部を連結可能な筒状部材に形成されている。ここでは、支持筒部４２は、その両端部に分割筒状部材３１の端部を内嵌め可能な略筒状に形成されている。もっとも、支持筒部４２は、その両端部に分割筒状部材３１の端部を外嵌め可能な略筒状に形成されていてもよい。そして、２つの分割筒状部材３１のそれぞれの一方側端部を支持筒部４２の両端部に内嵌めすることで、当該２つの分割筒状部材３１が直線状に連結されるようになっている。
【００３１】
もっとも、既に述べたように筒状部材は単一の部材によって構成されていてもよいため、支持筒部４２が２つの分割筒状部材３１を連結していることは必須ではない。
【００３２】
筒状基部４４は、支持筒部４２の軸方向略中間において、支持筒部４２の外周面から外方に突出するように形成されている。筒状基部４４は、略筒状に形成されている。筒状基部４４は、略円筒状であっても、略三角或いは略四角等の略多角形筒状であってもよい。ここでは、筒状部材３０は断面略楕円状の筒状である。また、筒状基部４４のうち支持筒部４２に連結された側の端部は当該支持筒部４２内に開口しており、外方に向く側の端部は当該外方に向けて開口している。これにより、上記筒状部材３０内に挿通されたワイヤーハーネス２２の分岐部分２３ａが筒状基部４４を通って外方に導出されるようになっている。もっとも、本固定部材４０においてワイヤーハーネス２２が分岐されていなくともよい。また、ワイヤーハーネスの幹線自体が本固定部材４０を通って外部に導出されていてもよい。
【００３３】
また、天井固定片４６は、筒状基部４４の外側端部から外方に延出するように形成されている。天井固定片４６には、ねじ穴４６ｈが形成されており、ねじＳを当該ねじ穴４６ｈに挿通して天井部１３側のねじ穴にねじ締め固定することで、本固定部材４０が天井部１３に対して突出状態で固定される。これにより、筒状部材３０が、天井部１３の内面から下方に離れた位置で支持されることになる。
【００３４】
なお、上記筒状基部４４に挿通された分岐部分２３ａは、天井部１３に形成された配線用孔（図示省略）を通って天井部１３内空間に導かれてもよいし、或は、筒状基部４４から外方に導出され天井部１３を通って配線されてもよい。なお、天井部１３に対する固定部材の取付構造は、ねじ固定構造に限られず、その他の嵌め込み構造等であってもよい。
【００３５】
また、筒状部材３０の端部には、図１及び図３に示すように、キャップ部材５０が取付けられており、このキャップ部材５０によって筒状部材３０の端部開口が閉塞されている。キャップ部材５０は、樹脂或は金属（アルミニウム、ステンレス等）により形成され、筒状部材３０の端部開口に取付可能に構成されている。ここでは、キャップ部材５０は、筒状部材３０の端部に外嵌固定可能な構成として説明するが、その他、筒状部材３０の端部に内嵌固定可能な構成、ねじ嵌め固定可能な構成等であってもよい。また、キャップ部材５０の外向き面には、孔部５０ｈが形成され、ワイヤーハーネス２２が当該孔部５０ｈを通って外部に導出される。孔部５０ｈの外周縁には、好ましくは、環状ゴム等が装着され、ワイヤーハーネス２２に対する傷付き及びワイヤーハーネス２２を伝った水の侵入を抑制していることが好ましい。
【００３６】
また、ワイヤーハーネス２２は、当初の車両１０への組付状態において、各種電装部品に接続される配線の他に、予備配線２３ｂを含んでいる。この予備配線２３ｂとしては、予備の電源線、グランド線、信号線等が想定され、特に、後から追加される可能性があるオプション電装部品用の配線が想定されている。予備配線２３ｂの端部に対しては、端子或はコネクタ等の接続処理が施されていてもよいし、或は、切断されたまま何ら処理されていないままであってもよい。この予備配線２３ｂは、必要時に外部に引出し易いように余長分を筒状部材３０内で弛ませた状態で、その端部が筒状部材３０の端部内に配設されている。
【００３７】
かかるワイヤーハーネス配索支持装置２０は、例えば、複数の電線を所定形態に結束して製造したワイヤーハーネス２２を、筒状部材３０及び筒状基部４４内に挿通し、その各端部を筒状部材３０の端部及び固定部材４０から導出させた形態として製造する。そして、固定部材４０から導出する分岐部分２３ａを天井部１３に沿って適宜取り回して電装部品等に接続しつつ、上記固定部材４０を天井部１３に取付固定する。これにより、ワイヤーハーネス２２の車両前後方向の配線部分が筒状部材３０内で天井部１３に沿って配設されることになる。また、筒状部材３０の前端部から導出するワイヤーハーネス２２の端部を、車両前方部分に沿って取り回して電装部品等に接続すると共に、筒状部材３０の後端部から導出するワイヤーハーネス２２の端部をバックドア１６に引出して、当該バックドア１６に組込まれた各種電装部品に接続する。
【００３８】
以上のように構成されたワイヤーハーネス配索支持装置２０によると、ワイヤーハーネス２２の少なくとも一部が挿通された筒状部材３０を天井に沿って支持するため、座席の配置等、積載物の搬出入の都合等を考慮せずに、ワイヤーハーネス２２及び筒状部材３０の経路を設定することができる。このため、ワイヤーハーネス２２及び筒状部材３０を、単純経路（ここでは、直線経路）かつ短経路で設置できる。これにより、ワイヤーハーネス２２及び筒状部材３０の短尺化を図ることができ、低コスト化が可能となる。しかも、ワイヤーハーネス２２を保護する部材は、基本的には直線状に延びる筒状部材３０であり、複雑な布線経路に合わせた内装材、保護材等を用いる必要はないため、この点からも低コスト化が図られる。
【００３９】
また、ワイヤーハーネス２２は、天井部１３側で筒状部材３０に挿通されて保護されているため、床面に設置する場合と比較して、積載物等による外傷から保護し易く、また、被水によるダメージ等を受けにくい。
【００４０】
また、ワイヤーハーネス２２の分岐部分２３ａも、固定部材４０を通って筒状部材３０から外部に引出されて天井部１３に引回されているため、そのような分岐部分２３ａについても積載物等による外傷から十分に保護することができる。
【００４１】
また、筒状部材３０は、車室内に露出しているため、他用途での使用に適する。特に、ここでは、筒状部材３０は天井部１３の内面から離れた位置で支持されているため、フック部材の係止固定或は紐の括り付け等を行い易い。
【００４２】
より具体的な利用例としては、図４〜図７に示す各例を挙げることができる。
【００４３】
図４に示す例では、網袋１００に一対の紐１０２を取付け、その紐１０２の先端部にフック部１０４を取付けている。そして、そのフック部１０４を筒状部材３０に引っかけることで、網袋１００を筒状部材３０に吊すように支持している。
【００４４】
図５に示す例では、車幅方向に沿った棒状部材１１０の両端部を、天井部１３の左右一対の筒状部材３０に取付固定している。棒状部材１１０の両端部と筒状部材３０との取付固定構成としては、ねじにて締付け可能なＵ字状ボルトを利用した構成、紐等を利用して括り付ける構成等を採用できる。かかる棒状部材１１０は、釣竿（ロッド）等の各種長尺物を車内の天井部１３に固定するため等に利用できる。
【００４５】
図６に示す例では、車内を前後に仕切るネット１２０の上両隅部を天井部１３の左右一対の筒状部材３０に取付固定している。ネット１２０の上両隅部と筒状部材３０との取付固定構成としては、フック等を利用した係止構成、紐等を利用して括り付ける構成等を採用できる。
【００４６】
図７に示す例では、サイドウインドウの車室内側に配設されるカーテン１３０を、上記筒状部材３０に吊している。カーテン１３０を吊す構成としては、例えば、筒状部材３０に引っかけることができるフック部１３２を用いた構成を採用できる。
【００４７】
筒状部材３０は、上記の他、荷室内の積載物を固定する用途にも利用できる。
【００４８】
このように、車室内に露出した筒状部材３０を、各種物品（特に、車両の装備品）の固定等に利用できるという利点がある。尚、固定に関しては、筒状部材３０の設定強度の範囲内で使用する場合に限られる。
【００４９】
また、筒状部材３０の端部に、予備配線２３ｂの端部が配設されているため、車両１０に対して電装部品の追加等を行う場合には、その予備配線２３ｂを引出して当該追加される電装部品に接続すればよい。このため、車両１０に対する電装部品の追加等を容易に行える。
【００５０】
なお、上記実施形態では、図８に示すように、車両前後方向に沿って配設される筒状部材３０が、車両１０の左右に一対設けられる例で説明したが、必ずしもその必要はない。
【００５１】
例えば、車両前後方向に沿って配設される筒状部材が、車幅方向左側だけ、右側だけ、或は、中央部だけに設けられていてもよい。
【００５２】
また、筒状部材の全体が一つの直線状である必要はなく、次述する変形例のように、車両１０の前後方向に沿って配設される前後方向配線用筒状部分と、車両１０の左右方向に沿って配設される車幅方向配線用筒状部分とが組み合わせ連結されていてもよい。
【００５３】
まず、図９に示す例では、筒状部材２３０が、一対の前後方向配線用筒状部分２３２と、一対の前後方向配線用筒状部分２３２の前端部を連結する幅方向配線用筒状部分２３４とを有している。
【００５４】
すなわち、前後方向配線用筒状部分２３２は、車両前後方向に沿って配線される部分であり、上記筒状部材３０と同様構成でかつ上記と同様構成にて天井部１３に取付固定されている。ここでは、前後方向配線用筒状部分２３２は、天井部１３の左右に一対設けられている。
【００５５】
幅方向配線用筒状部分２３４は、車両１０の幅方向に沿って配線される部分であり、車幅方向に合わせた長さ寸法を有する以外は上記筒状部材３０と同様構成である。本幅方向配線用筒状部分２３４は、端部が前後方向配線用筒状部分２３２の端部に固定されることで天井部１３に固定されている。
【００５６】
前後方向配線用筒状部分２３２と幅方向配線用筒状部分２３４とを連結固定する連結部材２４４として、例えば、図１０に示すような略Ｌ字の管状部材が用いられる。連結部材２４４は、ワイヤーハーネス２２を挿通可能な内部空間を有しており、その一端部に前後方向配線用筒状部分２３２を連結可能に構成されると共に、その他端部に幅方向配線用筒状部分２３４を連結可能に構成されている。ここでは、前後方向配線用筒状部分２３２及び幅方向配線用筒状部分２３４の各端部が、連結部材２４４内に内嵌めされる構成としているが、その他、外嵌めされる構成、ねじ込み構成等であってもよい。
【００５７】
そして、幅方向配線用筒状部分２３４の両端部が、連結部材２４４を介して前後方向配線用筒状部分２３２に連結固定されることで、天井部１３に対して露出状態で支持固定されている。
【００５８】
もちろん、幅方向配線用筒状部分２３４自体が、上記固定部材４０と同様構成部材を用いて天井部１３に固定されていてもよい。
【００５９】
また、前後方向配線用筒状部分２３２と幅方向配線用筒状部分２３４とが別部材として構成されている必要はなく、前後方向配線用筒状部分２３２と幅方向配線用筒状部分２３４とが単一の筒状部材を曲げることで構成されていてもよい。
【００６０】
このように、筒状部材２３０が、前後方向配線用筒状部分２３２と幅方向配線用筒状部分２３４とを有していると、前後方向配線用筒状部分２３２によって車両前後方向においてワイヤーハーネス２２を支持することができると共に、幅方向配線用筒状部分２３４によって車幅方向においてもワイヤーハーネス２２を支持することができる。このため、本筒状部材２３０によって支持されたワイヤーハーネス２２を、より多様な場所に設置された電装部品に接続することができる。また、幅方向配線用筒状部分２３４によっても、各物品の固定等を行える。
【００６１】
また、図１１に示す例では、筒状部材３３０は、一対の前後方向配線用筒状部分３３２と、一対の前後方向配線用筒状部分３３２の前端部を連結する幅方向配線用筒状部分３３４ａと、一対の前後方向配線用筒状部分３３２の後端部を連結する幅方向配線用筒状部分３３４ｂとを有しており、天井部１３の４方を囲うようにして設けられている。
【００６２】
また、図１２に示す例では、筒状部材４３０は、天井部１３の一側に設けられた前後方向配線用筒状部分４３２と、前後方向配線用筒状部分４３２の前端部に連結された幅方向配線用筒状部分４３４ａと、前後方向配線用筒状部分４３２の後端部に連結された幅方向配線用筒状部分４３４ｂと、前後方向配線用筒状部分４３２の長手方向中間部に連結された幅方向配線用筒状部分４３４ｃとを有しており、全体として略Ｅ字状に延在する構成とされている。なお、前後方向配線用筒状部分４３２と幅方向配線用筒状部分４３４ｃとの連結部分には、略Ｔ字状の連結部材を用いればよい。
【００６３】
このように、幅方向配線用筒状部分を設ければ、ワイヤーハーネスの布線の柔軟性に優れる上、幅方向配線用筒状部分を利用した物品の固定等を柔軟に行える。
【００６４】
なお、上記実施形態及び各変形例で説明した各構成は、相互に矛盾しない限り適宜組合わせることができる。
【符号の説明】
【００６５】
１０  車両
１３  天井部
２０  ワイヤーハーネス配索支持装置
２２  ワイヤーハーネス
２３ａ  分岐部分
２３ｂ  予備配線
３０、２３０、３３０、４３０  筒状部材
４０  固定部材
４２  支持筒部
４４  筒状基部
４６  天井固定片
５０  キャップ部材
２３２、３３２、４３２  前後方向配線用筒状部分
２３４、２３４ａ、２３４ｂ、４３４ａ、４３４ｂ、４３４ｃ  幅方向配線用筒状部分
【図１】
2011111090.tif 000003
【図２】
2011111090.tif 000004
【図３】
2011111090.tif 000005
【図４】
2011111090.tif 000006
【図５】
2011111090.tif 000007
【図６】
2011111090.tif 000008
【図７】
2011111090.tif 000009
【図８】
2011111090.tif 000010
【図９】
2011111090.tif 000011
【図１０】
2011111090.tif 000012
【図１１】
2011111090.tif 000013
【図１２】
2011111090.tif 000014